(57)【要約】【課題】加熱装置の本体の前面よりも手前側の空間に操作表示面を結像する場合に、誤った操作入力を受け付けてしまうことを防止することが可能な技術を提供する。【解決手段】本明細書は加熱装置を開示する。加熱装置は、本体の上方に加熱対象物が配置される。加熱装置は、本体の内部において、本体の前面の後方に配置された内部画面と、本体の前面に配置されており、内部画面に表示された画像を、本体の前面よりも手前側の空間の、基準面に対して面対称な位置に、操作表示面として結像させる空中結像部材と、操作表示面に対するユーザの操作を検出する検出装置を備えている。加熱装置では、操作表示面の外縁が操作禁止領域に設定されている。加熱装置では、検出装置が操作禁止領域に対する操作を検出した場合に、その後の操作表示面に対する操作の受付を禁止する。【選択図】図２
2018112377.tif 000002
【特許請求の範囲】
【請求項１】
本体の上方に加熱対象物が配置される加熱装置であって、
本体の内部において、本体の前面の後方に配置された内部画面と、
本体の前面に配置されており、内部画面に表示された画像を、本体の前面よりも手前側の空間の、基準面に対して面対称な位置に、操作表示面として結像させる空中結像部材と、
操作表示面に対するユーザの操作を検出する検出装置を備えており、
操作表示面の外縁が操作禁止領域に設定されており、
検出装置が操作禁止領域に対する操作を検出した場合に、その後の操作表示面に対する操作の受付を禁止する、加熱装置。
【請求項２】
操作表示面に対する操作の受付を禁止した状態において、検出装置が操作表示面に対する操作を検出しなくなった場合に、その後の操作表示面に対する操作の受付を許可する、請求項１の加熱装置。
【発明の詳細な説明】
【技術分野】
【０００１】
本明細書で開示する技術は、加熱装置に関する。
【背景技術】
【０００２】
特許文献１に、本体の内部に配置された内部画面と、内部画面に表示された画像を、本体の外部の空間の、基準面に対して面対称な位置に、操作表示面として結像させる空中結像部材と、操作表示面に対するユーザの操作を検出する検出装置を備える装置が開示されている。この装置によれば、本体の外部の空間に形成される操作表示面に対してユーザが行った操作を受け付けることができる。
【先行技術文献】
【特許文献】
【０００３】
【特許文献１】国際公開第２０１４／１９６０８８号パンフレット
【発明の概要】
【発明が解決しようとする課題】
【０００４】
上記のような装置を、例えばコンロなどの、本体の上方に加熱対象物が配置される加熱装置に組み込む場合、本体の前面よりも手前側の空間に操作表示面を形成すると、ユーザの身体が不意に操作表示面と干渉して、誤った操作入力を受け付けてしまうおそれがある。加熱装置の本体の前面よりも手前側の空間に操作表示面を結像する場合に、誤った操作入力を受け付けてしまうことを防止することが可能な技術を提供する。
【課題を解決するための手段】
【０００５】
本明細書は加熱装置を開示する。加熱装置は、本体の上方に加熱対象物が配置される。加熱装置は、本体の内部において、本体の前面の後方に配置された内部画面と、本体の前面に配置されており、内部画面に表示された画像を、本体の前面よりも手前側の空間の、基準面に対して面対称な位置に、操作表示面として結像させる空中結像部材と、操作表示面に対するユーザの操作を検出する検出装置を備えている。加熱装置では、操作表示面の外縁が操作禁止領域に設定されている。加熱装置では、検出装置が操作禁止領域に対する操作を検出した場合に、その後の操作表示面に対する操作の受付を禁止する。
【０００６】
上記の構成によれば、ユーザの身体が不意に操作表示面と干渉した場合には、操作表示面の外縁の操作禁止領域に対する操作として認識されるので、その後の操作表示面に対する操作の受付が禁止される。このような構成とすることで、誤った操作入力を受け付けてしまうことを防止することができる。
【０００７】
上記の加熱装置は、操作表示面に対する操作の受付を禁止した状態において、検出装置が操作表示面に対する操作を検出しなくなった場合に、その後の操作表示面に対する操作の受付を許可するように構成することができる。
【０００８】
上記の構成によれば、ユーザの身体が不意に操作表示面と干渉した場合には、その後さらにユーザの身体が操作表示面と干渉し続けている間は、操作表示面に対する操作の受付を禁止し続け、ユーザの身体が操作表示面と干渉しなくなってからは、通常通りに、操作表示面に対する操作の受付を再開することができる。
【図面の簡単な説明】
【０００９】
【図１】実施例に係る加熱装置２を手前側から見た斜視図である。
【図２】実施例に係る加熱装置２の第１操作表示面５６の平面図である。
【図３】実施例に係る加熱装置２の第１操作表示部２４と第３操作表示部２８の縦断面図である。
【発明を実施するための形態】
【００１０】
（実施例）
以下では図面を参照しながら、本実施例に係る加熱装置２について説明する。図１に示す本実施例の加熱装置２は、システムキッチンに組み込んで使用されるガス燃焼式のビルトインコンロである。加熱装置２は、前面４ａがシステムキッチンの手前側に露出する本体４と、本体４の上部に配置されており、システムキッチンのカウンタトップに露出する天板６と、天板６の上方で加熱対象物である鍋やフライパン等の調理容器を支持する３つの五徳８，１０，１２と、それぞれの五徳８,１０，１２に対応して設けられており、それぞれの五徳８，１０，１２に支持された加熱対象物を加熱する３つのコンロバーナ１４，１６，１８と、本体４の内部に設けられており、加熱対象物である食材を収容して加熱するグリル庫２０と、本体４の前面４ａに配置されており、グリル庫２０を開閉するグリル扉２２と、本体４の前面４ａにおいてグリル扉２２の左右に設けられた第１操作表示部２４、第２操作表示部２６、第３操作表示部２８、第４操作表示部３０を備えている。加熱装置２では、本体４の前面４ａと天板６の上面が、ユーザに対して露出する外面を構成する。なお、本実施例において、上下方向、前後方向および左右方向とは、本体４を基準とした上下方向、前後方向および左右方向を意味する。
【００１１】
第１操作表示部２４は、本体４の前面４ａにおいて、ユーザから見て左側上部に配置されている。第１操作表示部２４は、コンロバーナ１４，１６の点火および消火を行なうスイッチ３２，３４と、コンロバーナ１４，１６の火力の調整を行なうノブ３６，３８と、コンロバーナ１４，１６の状態を表示する表示灯４０，４２を備えている。
【００１２】
第２操作表示部２６は、本体４の前面４ａにおいて、ユーザから見て右側上部に配置されている。第２操作表示部２６は、コンロバーナ１８の点火および消火を行なうスイッチ４４と、コンロバーナ１８の火力の調整を行なうノブ４６と、コンロバーナ１８の状態を表示する表示灯４８と、グリル庫２０の点火および消火を行なうスイッチ５０と、グリル庫２０における火力の調整を行なうボタン５２と、グリル庫２０の状態を表示する表示灯５４を備えている。
【００１３】
第３操作表示部２８は、本体４の前面４ａにおいて、ユーザから見て左側下部に配置されている。第３操作表示部２８は、本体４の前面４ａよりも手前側の空間に第１操作表示面５６を結像するとともに、第１操作表示面５６に対してユーザが行った操作を検出する。第３操作表示部２８は、コンロバーナ１４，１６に関して、例えば図２に示すように、加熱温度やタイマーに関する設定情報５８を表示するとともに、ユーザが加熱温度やタイマーの設定を変更するための入力アイコン６０を表示する。また、第３操作表示部２８は、入力アイコン６０に対するユーザの操作を検出して、加熱温度やタイマーの設定情報５８にユーザからの入力の内容を反映させる。
【００１４】
第４操作表示部３０は、本体４の前面４ａにおいて、ユーザから見て右側下部に配置されている。第４操作表示部３０は、本体４の前面４ａよりも手前側の空間に第２操作表示面６２を結像するとともに、第２操作表示面６２に対してユーザが行った操作を検出する。第４操作表示部３０は、コンロバーナ１８とグリル庫２０に関して、加熱温度やタイマーに関する設定情報を表示するとともに、ユーザが加熱温度やタイマーの設定を変更するための入力アイコンを表示する。また、第４操作表示部３０は、入力アイコンに対するユーザの操作を検出して、加熱温度やタイマーの設定にユーザからの入力の内容を反映させる。
【００１５】
第３操作表示部２８と第４操作表示部３０は、ほぼ同様の構成および機能を備えており、第１操作表示面５６と第２操作表示面６２に表示する内容、および第１操作表示面５６と第２操作表示面６２において受け付けるユーザからの操作の内容のみが異なる。以下では、第３操作表示部２８の構成について詳細に説明し、第４操作表示部３０の構成については詳細な説明を省略する。
【００１６】
図３に示すように、第３操作表示部２８は、液晶ディスプレイ６４と、空中結像プレート６６と、操作検出装置６８と、制御装置７０を備えている。
【００１７】
液晶ディスプレイ６４は、本体４の内部において、本体４の前面４ａの後方に配置されている。液晶ディスプレイ６４は、本体４の前面４ａ側に内部画面６４ａを備えている。内部画面６４ａは、上部よりも下部の方が奥側に位置するように、本体４の前面４ａに対して傾斜して配置されている。液晶ディスプレイ６４の動作は、制御装置７０によって制御される。
【００１８】
空中結像プレート６６は、基準面に沿って広がる板状の空中結像部材であって、本体４の前面４ａに配置されている。本実施例の空中結像プレート６６は、光源の画像を基準面に対して面対称な位置の空間に結像する、２面コーナーリフレクタアレイである。本実施例の加熱装置２では、空中結像プレート６６は、光源である液晶ディスプレイ６４の内部画面６４ａに表示された内容を、本体４の前面４ａよりも手前側の空間に、第１操作表示面５６として結像する。本実施例の加熱装置２では、液晶ディスプレイ６４の内部画面６４ａが、上部よりも下部の方が奥側に位置するように、空中結像プレート６６の基準面に対して傾斜して配置されている。従って、空中結像プレート６６によって結像される第１操作表示面５６は、上部よりも下部の方が手前側に位置するように、空中結像プレート６６の基準面に対して傾斜して形成される。
【００１９】
本実施例の加熱装置２では、空中結像プレート６６の基準面は、上部よりも下部の方が手前側に位置するように、本体４の前面４ａに対して僅かに傾斜して配置されている。このような構成とすることによって、本体４の前面４ａに対する液晶ディスプレイ６４の内部画面６４ａの傾斜角度をそれほど大きくしなくても、本体４の前面４ａに対する第１操作表示面５６の傾斜角度を大きくすることができる。これによって、第１操作表示面５６を水平に近い角度で形成することができ、第１操作表示面５６のユーザによる視認性および操作性を向上することができる。また、液晶ディスプレイ６４を、天板６の上方の加熱対象物を加熱するコンロバーナ１４，１６，１８から遠ざけて配置することができ、液晶ディスプレイ６４の耐久性を向上することができる。
【００２０】
本実施例の加熱装置２では、空中結像プレート６６の基準面に直交する方向から見たときに、液晶ディスプレイ６４の内部画面６４ａが、空中結像プレート６６よりも広い範囲で配置されている。このような構成とすることによって、本体４の前面４ａよりも手前側の空間に、本体４の内部の液晶ディスプレイ６４の周囲の部品等の像が結像してしまうことを防止することができる。
【００２１】
操作検出装置６８は、第１操作表示面５６に対してユーザが行なう操作を検出する。本実施例の操作検出装置６８は、例えば、本体４の前面４ａから手前側に向けて、第１操作表示面５６に沿って指向性の赤外線を照射し、障害物（例えばユーザの指Ｆ）で反射された赤外線を検出する、赤外線検出装置である。操作検出装置６８は、第１操作表示面５６の近傍に存在する障害物（例えばユーザの指Ｆ）の位置を検出することで、第１操作表示面５６に対する操作の内容を検出することができる。操作検出装置６８の動作は、制御装置７０によって制御される。
【００２２】
制御装置７０は、液晶ディスプレイ６４の内部画面６４ａに表示される内容を制御することで、第１操作表示面５６に表示される内容を制御するとともに、操作検出装置６８の検出信号に基づいて、ユーザが第１操作表示面５６に対して行った操作の内容を特定する。例えば、第１操作表示面５６に、図２に示すような、加熱温度やタイマーに関する設定情報５８と、ユーザが加熱温度やタイマーの設定を変更するための入力アイコン６０を表示している場合に、制御装置７０は、ユーザが入力アイコン６０に対して行った操作の内容を特定することができる。
【００２３】
例えば、操作検出装置６８が、第１操作表示面５６の近傍の障害物を検出していない状態から、第１操作表示面５６の内部の位置で障害物を検出した場合には、制御装置７０は、第１操作表示面５６に直交する方向から第１操作表示面５６に障害物が接近してきたこと、すなわち、ユーザの指Ｆが第１操作表示面５６を触ろうとする通常の操作を行ったことを認識する。この場合、制御装置７０は、図２に示す第１操作表示面５６に表示された入力アイコン６０の位置と、操作検出装置６８で検出されたユーザの指Ｆの位置から、入力アイコン６０に対する操作の有無を判別することができる。
【００２４】
図２に示すように、第１操作表示面５６の外縁には、操作禁止領域７２が設定されている。操作検出装置６８が、第１操作表示面５６の近傍の障害物を検出していない状態から、操作禁止領域７２の近傍で障害物を検出した場合には、制御装置７０は、図２に矢印で示しているように、第１操作表示面５６に対して側方から障害物が接近してきたこと、すなわち、ユーザの身体が不意に第１操作表示面５６と干渉したことを認識する。このように、操作禁止領域７２に対する操作を検出した場合、制御装置７０は、その後の第１操作表示面５６に対する操作の受付を禁止する。このような構成とすることで、誤った操作入力を受け付けてしまうことを防止することができる。制御装置７０は、第１操作表示面５６に対する操作の受付を禁止している間、操作禁止領域７２の色を通常時とは異なる色で表示する、あるいは、操作禁止領域７２を繰り返し点滅させることで、ユーザに操作の受付を禁止していることを通知する。なお、制御装置７０は、第１操作表示面５６に対する操作の受付を禁止した状態において、操作検出装置６８が第１操作表示面５６に対する操作を検出しなくなった場合に、その後の第１操作表示面５６に対する操作の受付を許可する。このような構成とすることで、ユーザの身体が不意に第１操作表示面５６と干渉した場合には、その後さらにユーザの身体が第１操作表示面５６と干渉し続けている間は、第１操作表示面５６に対する操作の受付を禁止し続け、ユーザの身体が第１操作表示面５６と干渉しなくなってからは、通常通りに、第１操作表示面５６に対する操作の受付を再開することができる。なお、操作禁止領域７２は、図２に示すように第１操作表示面５６の外縁の全周にわたって設定されていてもよいし、第１操作表示面５６の外縁の一部にのみ設定されていてもよい。例えば、操作禁止領域７２は、ユーザが第１操作表示面５６を見た時に、左右の縁と手前側の縁のみに設定されていてもよいし、左右の縁のみに設定されていてもよい。
【００２５】
本実施例の加熱装置２によれば、第１操作表示面５６が、本体４の前面４ａよりも手前側の空間に、上部よりも下部の方が手前側に位置するように、本体４の前面４ａに対して傾斜して形成される。この場合、ユーザが第１操作表示面５６に対して操作を行なう際には、本体４の前面４ａよりも手前側の空間において、指Ｆを上方から下方に向けて動かすことになる。従って、ユーザが第１操作表示面５６を操作しようとする際に、誤って天板６の上部に配置された調理容器などの加熱対象物に指Ｆを近づけてしまうことがない。上記の構成によれば、第１操作表示面５６を外部の空間に結像した場合であっても、ユーザの安全性を確保することができる。
【００２６】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００２７】
本明細書または図面に説明した技術要素は、単独であるいは各種の組合せによって技術的有用性を発揮するものであり、出願時請求項記載の組合せに限定されるものではない。また本明細書または図面に例示した技術は複数目的を同時に達成し得るものであり、そのうちの一つの目的を達成すること自体で技術的有用性を持つものである。
【符号の説明】
【００２８】
２      ：加熱装置
４      ：本体
４ａ    ：前面
６      ：天板
８      ：五徳
１０    ：五徳
１２    ：五徳
１４    ：コンロバーナ
１６    ：コンロバーナ
１８    ：コンロバーナ
２０    ：グリル庫
２２    ：グリル扉
２４    ：第１操作表示部
２６    ：第２操作表示部
２８    ：第３操作表示部
３０    ：第４操作表示部
３２    ：スイッチ
３４    ：スイッチ
３６    ：ノブ
３８    ：ノブ
４０    ：表示灯
４２    ：表示灯
４４    ：スイッチ
４６    ：ノブ
４８    ：表示灯
５０    ：スイッチ
５２    ：ボタン
５４    ：表示灯
５６    ：第１操作表示面
５８    ：設定情報
６０    ：入力アイコン
６２    ：第２操作表示面
６４    ：液晶ディスプレイ
６４ａ  ：内部画面
６６    ：空中結像プレート
６８    ：操作検出装置
７０    ：制御装置
７２    ：操作禁止領域
【図１】
2018112377.tif 000003
【図２】
2018112377.tif 000004
【図３】
2018112377.tif 000005